(57)【要約】【課題】フェイス面の向きを簡単に調整でき、ボールを常に安定的に叩打できるゴルフ用パターを提供する。【解決手段】シャフト１の先端にパターヘッド２が固設され、フェイス面４ｃを備えた前板体４が前記パターヘッド２の前側にピボット軸受３を介して支持され、ピボット軸受３から離れた部位にてパターヘッド２と前記前板体４との間に介在して該パターヘッド２と該前板体４との間隔を調整し得るネジ軸５，６，７を設け、該ネジ軸によりフェイス面４ｃの向きが微調整されるようにした。【選択図】図３
2017070595.tif 000002
【特許請求の範囲】
【請求項１】
シャフトの先端にパターヘッドが固設され、フェイス面を備えた前板体が前記パターヘッドの前側にピボット軸受を介して支持され、前記ピボット軸受から離れた部位にて前記パターヘッドと前記前板体との間に介在して該パターヘッドと該前板体との間隔を調整し得るネジ軸を設け、該ネジ軸により前記フェイス面の向きが微調整されるようにしたことを特徴とするゴルフ用パター。
【請求項２】
前記ネジ軸を前記ピボット軸受の周囲の少なくとも３箇所に設け、該各ネジ軸を結ぶ直線の内側に前記ピボット軸受が位置するようにすることで前記フェイス面の向きが微調整されるようにしたことを特徴とする請求項１に記載したゴルフ用パター。
【発明の詳細な説明】
【技術分野】
【０００１】
本発明はフェイス面の向きを所望に調節することのできるゴルフ用パターに関するものである。
【背景技術】
【０００２】
ゴルフ競技において、グリーンに載ったボールをホールカップに向けて打つために使用されるゴルフ用パターは、そのフェイス面が左右にぶれないようにパッティングすることがホールインするための重要な要素となる。しかしながら個々のゴルファーにはパッティングフォームにそれぞれ固有の癖があるので、その日のコンディションだけでなくこうした癖を考慮しつつパッティングしないとホールカップからボールを外してしまうことが多い。このため多くのゴルファーにとって、こうした自分の癖をどの程度考慮してパッティングすべきかといった問題がある。
【０００３】
そこで下記特許文献１に示されたゴルフ用パターは、フェイス面を備えた回転体をパターヘッド本体を包囲するように回転自在に設け、該回転体を回転することでフェイス面の角度を左右所望方向に変更し得るようにしている。
また、下記特許文献２に示されたゴルフ用パターは、ゴルフシャフトに直角に折れ曲がった第１関節と第２関節と第３関節を接続し、その先端にパターヘッドを接続してなり、該各関節を回転することにより該パターヘッドのフェース面の向きを自在に調節しようとするものである。
【先行技術文献】
【特許文献】
【０００４】
【特許文献１】特許第５７５８４５１号公報
【特許文献２】特許第３０２３３５１号公報
【発明の概要】
【発明が解決しようとする課題】
【０００５】
ところで、特許文献１に示されたゴルフ用パターでは、フェイス面の角度が左右方向には自在に調節可能であるものの、その構造上、上下方向に調節できないので、個々のゴルファーの要望に十分に応じられない状況であった。
その点、特許文献２に示されたゴルフ用パターは、パターヘッド自体の向きを変更するものであるので、フェイス面をいずれの方向にも向けることができる利点があるが、３つの関節を程よく調節することは難しいとともに、調節によってゴルフシャフトとパターヘッドの重心とが大きくずれ易く、左右のバランスが崩れ易いので、調節にあたりその点も注意する必要があるなど、一般的なゴルファーにとって使い難いという問題がある。
本発明はこれらの問題点を解決し得るゴルフ用パターを提供しようとするものである。
【課題を解決するための手段】
【０００６】
そのために本発明に係るゴルフ用パターは、シャフトの先端にパターヘッドが固設され、フェイス面を備えた前板体が前記パターヘッドの前側にピボット軸受を介して支持され、前記ピボット軸受から離れた部位にて前記パターヘッドと前記前板体との間に介在して該パターヘッドと該前板体との間隔を調整し得るネジ軸を設け、該ネジ軸により前記フェイス面の向きが微調整されるようにしたことを特徴とする。
また、本発明は上記ゴルフ用パターにおいて、前記ネジ軸を前記ピボット軸受の周囲の少なくとも３箇所に設け、該各ネジ軸を結ぶ直線の内側に前記ピボット軸受が位置するようにすることで前記フェイス面の向きが微調整されるようにしたことを特徴とする。
【発明の効果】
【０００７】
本発明に係るゴルフ用パターによれば、ネジ軸を操作することによってフェイス面の向きを所望方向に簡単に調整できる。また、調整によって重心が大きくずれるようなことがないので、ボールを常に安定的に叩打できる。
【図面の簡単な説明】
【０００８】
【図１】本発明に係るゴルフ用パターの要部の裏側からの斜視図。
【図２】本発明に係るゴルフ用パターの要部の正面図。
【図３】図２のＡ−Ａ線断面図。
【図４】図２のＢ−Ｂ線断面図。
【図５】図２のＣ−Ｃ線断面図。
【発明を実施するための形態】
【０００９】
図示したゴルフ用パターは、シャフト１の先端にパターヘッド２が固設され、該パターの重心位置にピボット軸受３が設けられ、該ピボット軸受３によって前板体４を該パターヘッド２の前側に支持している。該パターヘッド２は上面にツナギ部２ａが一体的に鋳造され、該ツナギ部２ａにシャフト１が固着される。ピボット軸受３は、図３，図４に示したように、球体３ａが先端に設けられた支軸３ｂをパターヘッド２の前面の中心部に螺合して固着することにより、該球体３ａを該パターヘッド２の前面から前方に少し離間した部位に支持する一方、前板体４の裏面に該球体３ａを遊嵌させる半球状の窪み４ａを形成し、該球体３ａが該窪み４ａ内から離脱しないように保持する止板４ｂを該前板体４の裏面に固着してなる。これによって該前板体４は該球体３ａを中心として自由な方向に回転可能に支持される。なお、前板体４の前面はゴルフボールを当てるための平坦なフェイス面４ｃが形成されている。また、該前板体４の下縁に後方に向けて延びるスライド板４ｄが一体に形成されている。
【００１０】
一方、前記ピボット軸受３から少し離れた部位にて前記パターヘッド２と前記前板体４との間に介在して該パターヘッド２と該前板体４との間隔を調整し得るネジ軸５，６，７を図２に示したように該ピボット軸受３の周囲の少なくとも３箇所に設け、該各ネジ軸５，６，７を結ぶ直線の内側に該ピボット軸受３が位置するようにする。即ち、ネジ軸５をピボット軸受３の直下に設けるとともに、他の２本のネジ軸６，７をピボット軸受３の両側であって該ピボット軸受３よりも高所に設ける。なお、該各ネジ軸５，６，７は、六角孔が頭部に形成された六角孔付きボルトをパターヘッド２に形成したネジ孔に該パターヘッド２の裏側から螺入し該ボルトの先端を前板体４の裏面に当接してなり、該ボルトが無用に回転することのないようにバネ座金５ａ，６ａ，７ａを該各ボルトの頭部と前板体４の裏面の間に介在させている。
【００１１】
このように構成したゴルフ用パターでは、六角レンチ等の工具を使ってピボット軸受３の左右のネジ軸６，７を回転操作することにより、該ネジ軸６，７の先端による前板体４の押圧加減を調節する。これにより該パターヘッド２と該前板体４との間隔が左右で適宜拡縮調整され、図３に破断線で示したように該前板体４がピボット軸受３を支点として左右に傾動する。このため該前板体４のフェース面４ｃが向く方向を左右に所望に微調整することができる。また、六角レンチ等の工具を使ってピボット軸受３の下側のネジ軸５および前記ネジ軸６，７を回転操作することにより該ネジ軸５，６，７の先端による該前板体４の押圧加減が調節されることから、図４に破断線で示したように該前板体４がピボット軸受３を支点として上向または下向に傾動し、該フェース面４ｃが向く方向を上下に微調節することができる。このように、３つのネジ軸５，６，７を回転操作し、パターヘッド２と前板体４との間隔を適宜調整することにより、前板体４をピボット軸受３を支点として左右および上下に自由に傾動させ、該前板体４のフェイス面４ｃの向きを自在に調整することができる。
【００１２】
このため、ゴルファーは自分の癖を考慮し、自分に適したフェイス面４ｃの向きを予めこのゴルフ用パターに設定しておくことにより、ボールを所望方向に転がすことができる。なお、ピボット軸受３は中心部に設けられていることから、フェイス面４ｃの向きを調整してもその調整によってこのゴルフ用パターの重心が大きくずれることがないとともに、ボールを叩打した際の反力が常にピボット軸受３によって受けられる。このため調整をしてもバランスを崩すことなく、常に安定的に所望強度でボールを叩打することができる。
【符号の説明】
【００１３】
１            シャフト
２            パターヘッド
３            ピボット軸受
４            前板体
４ｃ          フェイス面
５，６，７    ネジ軸
【図１】
2017070595.tif 000003
【図２】
2017070595.tif 000004
【図３】
2017070595.tif 000005
【図４】
2017070595.tif 000006
【図５】
2017070595.tif 000007